(57)【要約】      （修正有）【課題】便座を上げ下げする際のウィルスや細菌の感染リスクを抑制する便座用取っ手を提供する。【解決手段】便座２に装着する便座用取っ手１０である。便座用取っ手は、靴ヘラ形に形成されたステンレス鋼鈑製の本体部材を有する。本体部材は便座から外側に露出し、手で操作するための操作領域１２と、便座の下面に取り付ける取り付け領域を含む。本体部材の取り付け領域を便座の下面側に留め具としてのネジにより装着した状態で便座から外側に露出した操作領域を手で操作して便座を上げ下げ可能に形成されている。【選択図】図１
0003233049.tif 000002
【実用新案登録請求の範囲】
【請求項１】
便座に装着する便座用取っ手であって、
便座用取っ手は、板状に形成された本体部材と、本体部材を便座に留める留め具を有し、
本体部材は便座から外側に露出し、手で操作するための操作領域と、便座の下面に取り付ける取り付け領域を含み、
本体部材の取り付け領域を便座の下面側に留め具により装着した状態で便座から外側に露出した操作領域を手で操作して便座を上げ下げ可能に形成されていること、
を特徴とする便座用取っ手。
【請求項２】
本体部材は、金属製としたこと、
を特徴とする請求項１記載の便座用取っ手。
【考案の詳細な説明】
【技術分野】
【０００１】
本考案は便座の取っ手に係り、とくに手で便座を直接触れることなく、上げ下げができるようにした便座の取っ手に関する。
【背景技術】
【０００２】
トイレの使用に当たっては、便座を上げ下げする必要がある。けれども、便座にはウィルス・細菌が多数付着しており、とくに新型コロナウィルスによる感染が大きな社会問題になっている現在、手で直接、便座を上げ下げすることは、ウィルス感染リスクの最も大きな行為となる。
【考案の概要】
【考案が解決しようとする課題】
【０００３】
本考案は上記した従来技術の問題に鑑みなされたもので、便座を上げ下げする際のウィルスや細菌の感染リスクを大幅に抑制することのできる便座用取っ手を提供することを、その目的とする。
【課題を解決するための手段】
【０００４】
請求項１記載の考案は、
便座に装着する便座用取っ手であって、
便座用取っ手は、板状に形成された本体部材と、本体部材を便座に留める留め具を有し、
本体部材は便座から外側に露出し、手で操作するための操作領域と、便座の下面に取り付ける取り付け領域を含み、
本体部材の取り付け領域を便座の下面側に留め具により装着した状態で便座から外側に露出した操作領域を手で操作して便座を上げ下げ可能に形成されていること、
を特徴としている。
請求項２記載の考案では、
本体部材は、金属製としたこと、
を特徴としている。
【考案の効果】
【０００５】
本考案によれば、便座の下面に装着された便座用取っ手の操作領域を消毒液を染み込ませたティッシュ、不織布等で拭いたのち、便座の外部に露出した操作領域を手で上げ下げして、便座を上げ下げすることにより、手で直接、便座を上げ下げする場合に比較して、ウィルスや細菌の感染リスクを大幅に抑制することができる。
【図面の簡単な説明】
【０００６】
【図１】図１は本考案の一実施例に係る便座用取っ手の取り付け状態を示す説明図である（実施例１）。
【図２】図２は図１中の本体部材の平面図である。
【図３】図３は図２の側面図である。
【図４】図４は本体部材の取り付け方法の説明図である。
【図５】図５は本体部材の取り付け方法の説明図である。
【考案を実施するための最良の形態】
【０００７】
以下、本考案の最良の形態を実施例に基づき説明する。
【実施例１】
【０００８】
図１乃至図５を用いて本考案の一実施例に係る便座用取っ手を説明する。図１は本考案の一実施例に係る便座用取っ手の取り付け状態を示す説明図、図２は図１中の本体部材の平面図、図３は図２の側面図、図４と図５は本体部材の取り付け方法の説明図である。
図１において、１は便器本体、２は便座、３は蓋である。便座２と蓋３は、各々の後端部が便器本体１の背面側の上端部に軸支されており、上下に回動自在になっている。１０は便座２の下面２ａに後付けで装着された便座用取っ手である。
【０００９】
便座用取っ手１０は、図２、図３に示す如く薄い板状で略靴ヘラ形のステンレス鋼板製の本体部材１１と、本体部材１１を便座２の下面２Ａに装着する留め具としてのネジ１５から成る。本体部材１１は便座２から外側に露出し、手で操作するための操作領域１２と、便座２の下面に取り付ける取り付け領域１３を含む。取り付け領域１３には、３つの孔１４がネジ留め用に穿設されている。
【００１０】
このように構成された本体部材１１は、留め具としてのネジ１５とワッシャー（図示せず）を用いて便座２の下面２ａに後付けで装着される。具体的には、まず便座２の例えば前部の下面２ａに、本体部材１１の取り付け領域１３をあてがい、孔１４に対応する位置の便座２の下面２ａにドリルでネジ孔２０を穿設する（図４参照）。そして、本体部材１１の取り付け領域１３の孔１４を便座２の下面２ａに穿設したネジ孔２０に合わせ、ワッシャーを挟んで３本のネジ１５を各々３つの孔１４を通して便座２の下面２a にネジ留めし、固着すする（図５参照）。
【００１１】
本体部材１１の取り付け領域１３を便座２の前部の下面２ａに装着すると、便座２から外側に操作領域１２が露出する（図１参照）。トイレを使用するため便座２を上げ下げしたい場合、まず、操作領域１２を消毒液を染み込ませたティッシュ、不織布等で拭き、ウィルスや細菌を除菌する。しかるのち、手で操作領域１２を持ち、便座２を上げ下げすれば良い。手で直接、便座２を上げ下げする場合に比較して、ウィルスや細菌の感染リスクを大幅に抑制することができる。
【００１２】
この実施例によれば、便座２の下面２ａに装着された便座用取っ手１０の内、便座２から外側に露出した操作領域１２を消毒液を染み込ませたティッシュ、不織布等で拭いたのち、操作領域１２を手で上げ下げして、便座２を上げ下げすることにより、手で直接、便座２を上げ下げする場合に比較して、ウィルスや細菌の感染リスクを大幅に抑制することができる。また、本体部材１１をステンレス鋼鈑製としたことにより、便座用取っ手１０に細菌やウィルスが付着し難くなり、また、ティッシュ、不織布等で拭くことで簡単に除去することができる。
【００１３】
なお、上記した実施例では本体部材をステンレス鋼鈑製とした場合を例に挙げて説明したが、アルミ板など他の種類の金属製としたり、或いはプラスチック製としたりしても良い。
また、本体部材の形状も、靴ヘラ形に限定されず、楕円形、ハート形、ブーメラン形などとしても良く、便座の下面への取り付け領域と、操作領域を含むようにした種々の形状とすることができる。
また、留め具として、ネジを用いる場合を例に挙げたが、ビスなど、他の固定部品を用いても良い。
【産業上の利用可能性】
【００１４】
本考案は、便座を上げ下げして使用するする洋式便器に適用可能である。
【符号の説明】
【００１５】
２  便座
２ａ  下面
１０  便座用取っ手  
１１  本体部材
１２  操作領域
１３  取り付け領域
１５  ネジ
【図１】
0003233049.tif 000003
【図２】
0003233049.tif 000004
【図３】
0003233049.tif 000005
【図４】
0003233049.tif 000006
【図５】
0003233049.tif 000007
【手続補正書】
【提出日】令和3年5月11日(2021.5.11)
【手続補正２】
【補正対象書類名】明細書
【補正対象項目名】０００１
【補正方法】変更
【補正の内容】
【０００１】
本考案は便座用取っ手に係り、とくに手で便座を直接触れることなく、上げ下げができるようにした便座用取っ手に関する。